(57)【要約】【課題】  ポーリング処理動作を行う旨を予め相手側に通知することにより、ポーリング受信を確実に行う。【解決手段】  画像情報、文書情報その他の通信に関する情報を記憶するＲＡＭ３と、相手先の装置と所定の情報を送受信するための通信制御を行う通信制御手段９を有し、相手先の装置に発呼することにより、予め相手先の装置に記憶されている特定の画像情報を受信するポーリング受信を行う画像通信装置において、相手先にポーリング受信を行う旨を通知する機能を持つ表示パネル４を有し、前記通信制御手段９の通信制御によりポーリング受信を行う旨に係る画像情報が相手先の装置に送信される。【選択図】  図１
2006148641.tif 000002
【特許請求の範囲】
【請求項１】
画像情報、文書情報その他の通信に関する情報を記憶する記憶手段と、
相手先の装置と所定の情報を送受信するための通信制御を行う通信制御手段を有し、
相手先の装置に発呼することにより、予め相手先の装置に記憶されている特定の画像情報を受信するポーリング受信を行う画像通信装置において、
相手先にポーリング受信を行う旨を通知する通知手段を有し、
前記通信制御手段の通信制御によりポーリング受信を行う旨に係る画像情報が相手先の装置に送信されることを特徴とする画像通信装置。
【請求項２】
時刻を計測し、時刻情報を生成する計時手段を有し、
前記記憶手段は前記時刻情報に基づいたポーリング受信の開始時刻に係る情報である開始時刻情報を記憶し、
前記開始時刻に相手先の装置に発呼してポーリング受信を行うことを特徴とし、
前記通知手段は前記開始時刻前にポーリング受信を行う旨を通知する期間である通知期間を指定し、前記通信制御手段の通信制御により当該通知期間にポーリング受信を行う旨に係る画像情報が相手先の装置に送信されることを特徴とする請求項１に記載の画像通信装置。
【請求項３】
前記通信制御手段はポーリング受信の成否を判別し、
前記記憶手段はポーリング受信の当該成否に関する情報を記憶し、
ポーリング受信が失敗した場合には相手先の装置に再発呼し、ポーリング受信を行うことを特徴とし、
前記通知手段は前記再発呼を行った相手先を特定し、前記通信制御手段の通信制御によりポーリング受信を行う旨に係る画像情報が相手先の装置に送信されることを特徴とする請求項１に記載の画像通信装置。
【請求項４】
時刻を計測し、時刻情報を生成する計時手段を有し、
前記通信制御手段はポーリング受信の成否を判別し、
前記記憶手段は、前記時刻情報に基づいたポーリング受信の開始時刻に係る情報である開始時刻情報、及びポーリング受信の当該成否に関する情報を記憶し、
前記開始時刻に相手先の装置に発呼してポーリング受信を行い、ポーリング受信が失敗した場合には相手先の装置に再発呼し、ポーリング受信を行うことを特徴とし、
前記記憶手段は前記再発呼に関する履歴に係る情報である履歴情報を記憶し、
前記通知手段は前記開始時刻前にポーリング受信を行う旨を通知する期間である通知期間を指定し、前記履歴情報に基づいて再発呼した相手先を特定し、前記通信制御手段の通信制御により当該通知期間にポーリング受信を行う旨に係る画像情報が当該相手先の装置に送信されることを特徴とする請求項１に記載の画像通信装置。
【発明の詳細な説明】
【技術分野】
【０００１】
本発明は、相手先に発呼して予め相手先装置にセットされている画像を受信するポーリング受信機能を備えた画像通信装置に関する。
【背景技術】
【０００２】
ファクシミリ装置などの通信端末を用いて受注システムを構築する際、発注側に課金が発生しないようにセンター局からポーリング受信を行う形態をとる場合がある。このポーリング受信は、ポーリング送信側が予め送信用の文書をセットしておくことが必須である。しかし、送信用の文書をセットするという行為は利用者が気がついたときに行う任意的なものであって、ポーリング送信側でそのようなセットが行われているという保証は無い。その結果、効率良くポーリング受信できない場合がある。
【０００３】
なお、特許文献１には、ポーリング受信の機能の内容について開示されている。
【特許文献１】特開平５−１９９３９３号公報
【発明の開示】
【発明が解決しようとする課題】
【０００４】
上記事情を鑑みて、本発明が解決しようとする課題は、ポーリング処理動作を行う旨を予め相手側に通知することにより、ポーリング受信を確実に行うことにある。
【課題を解決するための手段】
【０００５】
上記課題を解決する手段である本発明の態様は、画像情報、文書情報その他の通信に関する情報を記憶する記憶手段と、相手先の装置と所定の情報を送受信するための通信制御を行う通信制御手段を有し、相手先の装置に発呼することにより、予め相手先の装置に記憶されている特定の画像情報を受信するポーリング受信を行う画像通信装置において、相手先にポーリング受信を行う旨を通知する通知手段を有し、前記通信制御手段の通信制御によりポーリング受信を行う旨に係る画像情報が相手先の装置に送信されることを特徴とするものである。すると、相手側はポーリング動作処理に関する通知を知ることができる。
【０００６】
ここで、時刻を計測し、時刻情報を生成する計時手段を有し、前記記憶手段は前記時刻情報に基づいたポーリング受信の開始時刻に係る情報である開始時刻情報を記憶し、前記開始時刻に相手先の装置に発呼してポーリング受信を行うことを特徴とし、前記通知手段は前記開始時刻前にポーリング受信を行う旨を通知する期間である通知期間を指定し、前記通信制御手段の通信制御により当該通知期間にポーリング受信を行う旨に係る画像情報が相手先の装置に送信されることを特徴とする。すると、ポーリング動作処理を行う旨を事前に連絡し、受注の確実性を高める。
【０００７】
またここで、前記通信制御手段はポーリング受信の成否を判別し、前記記憶手段はポーリング受信の当該成否に関する情報を記憶し、ポーリング受信が失敗した場合には相手先の装置に再発呼し、ポーリング受信を行うことを特徴とし、前記通知手段は前記再発呼を行った相手先を特定し、前記通信制御手段の通信制御によりポーリング受信を行う旨に係る画像情報が相手先の装置に送信されることを特徴とする。すると、ポーリング動作処理に失敗した旨を連絡し、受注の確実性を高める。
【０００８】
またここで、時刻を計測し、時刻情報を生成する計時手段を有し、前記通信制御手段はポーリング受信の成否を判別し、前記記憶手段は、前記時刻情報に基づいたポーリング受信の開始時刻に係る情報である開始時刻情報、及びポーリング受信の当該成否に関する情報を記憶し、前記開始時刻に相手先の装置に発呼してポーリング受信を行い、ポーリング受信が失敗した場合には相手先の装置に再発呼し、ポーリング受信を行うことを特徴とし、前記記憶手段は前記再発呼に関する履歴に係る情報である履歴情報を記憶し、前記通知手段は前記開始時刻前にポーリング受信を行う旨を通知する期間である通知期間を指定し、前記履歴情報に基づいて再発呼した相手先を特定し、前記通信制御手段の通信制御により当該通知期間にポーリング受信を行う旨に係る画像情報が当該相手先の装置に送信されることを特徴とする。すると、ポーリング動作に失敗した履歴がある旨を事前に連絡し、受注の確実性を高める。
【発明の効果】
【０００９】
本発明により、ポーリング処理動作を行う旨を事前に通知することにより、ポーリング受信を確実に行うことができる。
【発明を実施するための最良の形態】
【００１０】
以下、本発明の画像通信装置を実施するための最良の形態に関する説明をする。説明の際には、本明細書と同時に提出する図面を参照していくことにする。また画像通信装置としてファクシミリ装置を用いる。
【００１１】
図１は本形態のファクシミリ装置の構成ブロック図である。このファクシミリ装置は、ＣＰＵ１、ＲＯＭ２、ＲＡＭ３、表示パネル４、入力ボタン５、スキャナ６、ＩＰＵ７、プリンタ８、通信制御手段９、タイマー１０を有して構成されている。これらの要素はシステムバスに接続することで所定の情報を送受信を行う。
【００１２】
ＣＰＵ１はファクシミリ装置を構成する各装置、部品、素子で行われる一連の処理を制御する素子である。ＲＯＭ２はポーリング動作処理を初めとした一連の処理を実行させるプログラムを格納する記録媒体である。ＣＰＵ１はＲＯＭ２から読み出したプログラムを実行する。
【００１３】
ＲＡＭ３は画像情報、文書情報、宛先のＦＡＸ番号その他のファクシミリ通信に関する情報を記憶する素子である。表示パネル４はファクシミリ通信の経過状況、処理結果などを利用者に表示する表示素子である。入力ボタン５は利用者がＦＡＸ番号など、所定の文字、数字を入力するボタンである。
【００１４】
スキャナ６は入力された原稿に光をあてて、原稿に記載された内容を光学的に読み取るデバイスであり、光学的に読み取った情報をデジタル化する。ＩＰＵ７はスキャナ６によりデジタル化された情報、外部の装置より読み取った情報を対応する画像情報に変換する素子である。プリンタ８はＩＰＵ７により変換された画像情報に基づいて対応する画像を予めセットされた原稿に出力する装置である。
【００１５】
通信制御手段９は相手先の装置と所定の情報を送受信するための通信制御を行う素子である。タイマー１０は時刻を計測し、計測した時刻に対応する時刻情報を生成する部品である。
【００１６】
ポーリング受信を行うときには入力ボタン５を使用して、相手先の装置の宛先を入力して発呼する。相手先の装置には予めポーリング動作用の画像情報が記憶されており、通信制御手段９の通信制御により当該画像情報を受信することができる。しかし、そのためには相手先の装置には画像情報に対応した送信文書がセットされていなければならない。そこで相手先の表示パネル４にはこれからポーリング動作を行う旨を記載した文書を表示させて通知する。これにより相手先の装置の利用者に送信用文書のセットを促すことができる。本形態では相手先の表示パネル４にポーリング受信の依頼文書を表示させる。以下にその方法のいくつかを説明する。
【００１７】
まず第１の方法は、ポーリング受信の開始時刻を指定し、その開始時刻前に事前に通知する方法である。ポーリング受信を行うときには、専用のデータ構造に基づいた管理制御を行う。図２に第１の方法に係るデータ構造を示す。ＲＡＭ３によって指定時刻とポーリング受信を行う宛先の端末装置の番号が記憶されている。例えば、１３時４５分に「０１−２３４」、「０２−３４５」、「０３−４５６」という番号を持つ宛先からポーリング受信を実行したいときは事前に（ａ'）のようなデータ構造がＲＡＭ３に記憶される。
【００１８】
図３は第１の方法を行う際に、ポーリング受信の依頼文書を送信するときのフローチャートである。本形態では指定時刻の３０分前に通知する。全ての宛先に対し依頼文書を送信すれば通知完了となる。
【００１９】
図４に依頼文書の表示結果を示す。表示パネル４には当該依頼文書の内容が記載されている。利用者はこの内容を見て原稿をセットする必要性を知る。
【００２０】
次に第２の方法は、ポーリング受信の成否を判別し、ポーリング受信が失敗した相手先に対してその旨を通知する方法である。図５に第２の方法に係るデータ構造を示す。ＲＡＭ３によって指定時刻とポーリング受信を行う宛先の端末装置の番号及び当該端末装置におけるポーリング受信の成否が記憶されている。例えば、前にポーリング受信に失敗（０）した「０１−２３４」、及び、前にポーリング受信に成功（１）した「０２−３４５」・「０３−４５６」という番号を持つ宛先から１３時４５分にポーリング受信を実行したいときは事前に（ａ'）のようなデータ構造がＲＡＭ３に記憶される。
【００２１】
図６は第２の方法を行う際に、ポーリング受信の依頼文書を送信するときのフローチャートである。第２の方法に係るデータ構造から各相手先のポーリング受信成否に関する情報を読み出し、ポーリング受信に失敗したときはその相手先に対して再発呼し、依頼文書を送信すれば通知完了となる。
【００２２】
図７に依頼文書の表示結果を示す。表示パネル４には当該依頼文書の内容が記載されている。利用者はこの内容を見てポーリング受信の失敗があったことを知り、原稿をセットする必要性を知る。
【００２３】
次に第３の方法は、相手先に再発呼したことの履歴を読み取り、過去のポーリング受信失敗の履歴に基づいてポーリング受信を行う旨を通知する方法である。図８に第３の方法に係るデータ構造を示す。ＲＡＭ３によって指定時刻とポーリング受信を行う宛先の端末装置の番号（（ａ）、（ａ'））が記憶されており、また再発呼した履歴のデータ構造（（ｂ）、（ｂ'））も記憶されている。例えば、１３時４５分に「０１−２３４」、「０２−３４５」、「０３−４５６」という番号を持つ宛先からポーリング受信を実行したいときは事前に（ａ'）のようなデータ構造がＲＡＭ３に記憶される。そして、「０１−２３４」に係る宛先からのポーリング受信に失敗したときは（ｂ'）のようなデータ構造がＲＡＭ３に記憶される。
【００２４】
図９は第３の方法を行う際に、ポーリング受信の依頼文書を送信するときのフローチャートである。本形態では指定時刻の３０分前に通知する。利用者は入力ボタン５を使用して予め指定時刻しても良い。
【００２５】
初めに相手先からポーリング受信があって、ポーリング失敗があれば、失敗先の電話番号をＲＡＭ３に再発呼履歴として記憶しておく。
【００２６】
指定時刻の３０分前を経過したか否かを監視し、経過した場合にはポーリング受信の相手として指定された各相手先に対して順に、再発呼履歴を調べる。再発呼履歴があれば、以来文書を送信する。全ての宛先に対し依頼文書を送信すれば通知完了となる。
【００２７】
図１０に依頼文書の表示結果を示す。表示パネル４には当該依頼文書の内容が記載されている。利用者はこの内容を見て原稿をセットする必要性を知る。
【００２８】
本来、ポーリング送信する相手先が忘れずに画像セットしていれば、画像セットの依頼文書を送信する必要がない。ポーリング受信に成功した際には、その電話番号が再発呼履歴に存在するかどうかチェックし、存在した場合に再発呼履歴から電話番号を削除しておくことで、無用に画像セットの依頼文書を送信することなく、効率的である。
【００２９】
なお、上述した形態は、本発明を実施するための最良の形態であるが、これに限定する主旨ではない。従って、本発明の要旨を変更しない範囲において本形態を種々変形することが可能である。
【産業上の利用可能性】
【００３０】
本発明の画像通信装置を搭載したファクシミリ装置の開発が望まれる。
【図面の簡単な説明】
【００３１】
【図１】本形態のファクシミリ装置の構成ブロック図である。
【図２】第１の方法に係るデータ構造である。（ａ）はその代表的なものであり、（ａ'）は（ａ）の具体的に表現したものである。
【図３】第１の方法を行う際に、ポーリング受信の依頼文書を送信するときのフローチャートである。
【図４】第１の方法を行ったときの表示パネル４に表示された依頼文書の内容である。
【図５】第２の方法に係るデータ構造である。（ａ）はその代表的なものであり、（ａ'）は（ａ）の具体的に表現したものである。
【図６】第２の方法を行う際に、ポーリング受信の依頼文書を送信するときのフローチャートである。
【図７】第２の方法を行ったときの表示パネル４に表示された依頼文書の内容である。
【図８】第３の方法に係るデータ構造である。（ａ）、（ｂ）はその代表的なものであり、（ａ'）、（ｂ'）はそれぞれ（ａ）、（ｂ）の具体的に表現したものである。
【図９】第３の方法を行う際に、ポーリング受信の依頼文書を送信するときのフローチャートである。（ａ）は再発呼履歴に関するフローチャートであり、（ｂ）は指定時刻の前に事前に通知する際のフローチャートである。
【図１０】第３の方法を行ったときの表示パネル４に表示された依頼文書の内容である。
【符号の説明】
【００３２】
１    ＣＰＵ(Central Processing Unit)
２    ＲＯＭ(Read Only Memory)
３    ＲＡＭ(Random Access Memory)
４    表示パネル
５    入力ボタン
６    スキャナ
７    ＩＰＵ(Image Processing Unit)
８    プリンタ
９    通信制御手段
１０    タイマー
【図１】
2006148641.tif 000003
【図２】
2006148641.tif 000004
【図３】
2006148641.tif 000005
【図４】
2006148641.tif 000006
【図５】
2006148641.tif 000007
【図６】
2006148641.tif 000008
【図７】
2006148641.tif 000009
【図８】
2006148641.tif 000010
【図９】
2006148641.tif 000011
【図１０】
2006148641.tif 000012